(57)【要約】【課題】活線洗浄剤専用の装置であって、水分を除去した状態で洗浄対象に活線洗浄剤を噴霧可能であり、且つ、ユーザ操作性が高い活線洗浄装置を提供する。【解決手段】圧縮機に取り付けられる活線洗浄剤専用の活線洗浄装置であって、圧縮機の圧縮空気の排出口に配設され、圧縮空気を乾燥させる第１乾燥部と、第１乾燥部によって乾燥された圧縮空気を送通するための圧縮空気送通部と、圧縮空気送通部によって送通されてきた圧縮空気を、ユーザによる操作レバーの操作に応じて外部に放出するか否かを切り替え可能な噴霧装置と、圧縮空気送通部と噴霧装置との間に介設され、圧縮空気送通部を送通されてきた圧縮空気を乾燥する、取替え可能な第２乾燥部と、噴霧装置に取付けられ、活線洗浄剤が貯蔵される活線洗浄剤貯蔵部と、を備え、噴霧装置は、第２乾燥部によって乾燥された圧縮空気とともに、活線洗浄剤貯蔵部に貯蔵された活線洗浄剤を外部へ噴霧する。【選択図】図１
2015000394.tif 000002
【特許請求の範囲】
【請求項１】
圧縮機に取り付けられる活線洗浄剤専用の活線洗浄装置であって、
前記圧縮機の圧縮空気の排出口に配設され、前記圧縮空気を乾燥させる第１乾燥部と、
前記第１乾燥部によって乾燥された圧縮空気を送通するための圧縮空気送通部と、
前記圧縮空気送通部によって送通されてきた圧縮空気を、ユーザによる操作レバーの操作に応じて外部に放出するか否かを切り替え可能な噴霧装置と、
前記圧縮空気送通部と前記噴霧装置との間に介設され、前記圧縮空気送通部を送通されてきた圧縮空気を乾燥する、取替え可能な第２乾燥部と、
前記噴霧装置に取付けられ、活線洗浄剤が貯蔵される活線洗浄剤貯蔵部と、を備え、
前記噴霧装置は、前記第２乾燥部によって乾燥された圧縮空気とともに、前記活線洗浄剤貯蔵部に貯蔵された活線洗浄剤を外部へ噴霧することを特徴とする活線洗浄装置。
【請求項２】
前記噴霧装置の噴霧口には絶縁性を有するノズルが取り付けられることを特徴とする請求項１に記載の活線洗浄装置。
【発明の詳細な説明】
【技術分野】
【０００１】
本発明は、活線洗浄剤を用いて洗浄を行う活線洗浄装置に関する。
【背景技術】
【０００２】
従来、活線状態、すなわち電源が入ったままの状態で、電気・電子・通信設備の洗浄を可能にする技術が知られている（特許文献１参照）。例えば特許文献１には、碍子装置を活線状態で洗浄する碍子洗浄装置に関する技術が開示されている。この技術によれば、大気中に含まれる塵埃等が碍子装置に付着することにより、碍子装置の絶縁特性が低下することを防ぐことができる。
【０００３】
また近年、絶縁性流体からなる洗浄剤で、当該洗浄剤を電気設備等に噴霧することにより洗浄を可能にする活線洗浄剤と呼ばれるものが知られている。
【先行技術文献】
【特許文献】
【０００４】
【特許文献１】特開２００１−２７３８２５号公報
【発明の概要】
【発明が解決しようとする課題】
【０００５】
ところで、上記の活線洗浄剤を用いた洗浄では、電気設備等の浸水による故障を防ぐため、水分を完全に除去した状態（絶縁性を保った状態）で洗浄剤を噴霧させることが非常に重要である。また、洗浄剤の噴霧に際しては、ユーザ操作性が高いことが望ましい。しかしながら、これらの点について考慮されたような活線洗浄剤に特化した洗浄装置は従来存在しなかった。
【０００６】
本発明は、上記のような事情に鑑みてなされたものであって、活線洗浄剤を用いて洗浄を行うことに特化した装置であって、水分を除去した状態で洗浄対象に活線洗浄剤を噴霧可能であり、且つ、ユーザ操作性が高い活線洗浄装置を提供することを目的とする。
【課題を解決するための手段】
【０００７】
上記の目的を達成するために、本発明に係る活線洗浄装置は、圧縮機に取り付けられる活線洗浄剤専用の活線洗浄装置であって、前記圧縮機の圧縮空気の排出口に配設され、前記圧縮空気を乾燥させる第１乾燥部と、前記第１乾燥部によって乾燥された圧縮空気を送通するための圧縮空気送通部と、前記圧縮空気送通部によって送通されてきた圧縮空気を、ユーザによる操作レバーの操作に応じて外部に放出するか否かを切り替え可能な噴霧装置と、前記圧縮空気送通部と前記噴霧装置との間に介設され、前記圧縮空気送通部を送通されてきた圧縮空気を乾燥する、取替え可能な第２乾燥部と、前記噴霧装置に取付けられ、活線洗浄剤が貯蔵される活線洗浄剤貯蔵部と、を備え、前記噴霧装置は、前記第２乾燥部によって乾燥された圧縮空気とともに、前記活線洗浄剤貯蔵部に貯蔵された活線洗浄剤を外部へ噴霧することを特徴とする。
【０００８】
また上記の目的を達成するために、前記噴霧装置の噴霧口には絶縁性を有するノズルが取り付けられることを特徴とする。
【発明の効果】
【０００９】
本発明によれば、水分を除去した状態で洗浄対象に噴霧可能であり、且つ、ユーザ操作性が高い活線洗浄装置を提供することができる。
【図面の簡単な説明】
【００１０】
【図１】本実施形態に係る活線洗浄装置の一例を示す図である。
【図２】本実施形態に係る第２乾燥部を説明する図である。
【図３】本実施形態に係る第２乾燥部を説明する図である。
【発明を実施するための形態】
【００１１】
本発明に係る活線洗浄装置は、圧縮機に取り付けられる活線洗浄剤専用の活線洗浄装置であって、圧縮機の圧縮空気の排出口に配設され、圧縮空気を乾燥させる第１乾燥部と、第１乾燥部によって乾燥された圧縮空気を送通するための圧縮空気送通部と、圧縮空気送通部によって送通されてきた圧縮空気を、ユーザによる操作レバーの操作に応じて外部に放出するか否かを切り替え可能な噴霧装置と、圧縮空気送通部と噴霧装置との間に介設され、圧縮空気送通部を送通されてきた圧縮空気を乾燥する、取替え可能な第２乾燥部と、噴霧装置に取付けられ、活線洗浄剤が貯蔵される活線洗浄剤貯蔵部と、を備え、噴霧装置は、第２乾燥部によって乾燥された圧縮空気とともに、活線洗浄剤貯蔵部に貯蔵された活線洗浄剤を外部へ噴霧するものである。すなわち、水分を除去した状態で洗浄対象に活線洗浄剤を噴霧可能であり、且つ、ユーザ操作性が高い活線洗浄装置を提供するものである。以下、本発明の実施の形態を説明する。
【００１２】
［活線洗浄装置］
図１は、本実施形態に係る活線洗浄装置の一例を示す図である。
【００１３】
図１に示す活線洗浄装置１は、第１乾燥部２、フィルター部３、圧縮空気送通部４、第２乾燥部５、噴霧装置６、ノズル７、貯蔵部取付機構８、活線洗浄剤貯蔵部９を有する構成であり、活線洗浄剤貯蔵部９に貯蔵された活線洗浄剤を用いて洗浄を行う、活線洗浄剤専用の洗浄装置である。この活線洗浄装置１は圧縮機１０に取り付けられる。
【００１４】
圧縮機１０は、空気を大気圧以上に圧縮して圧力を高め、連続的に圧縮空気を送り出す圧縮装置、いわゆるコンプレッサーである。この圧縮機１０は外気を吸入して圧縮し、圧縮された空気を排出口１０ａから外部に送り出す。この圧縮機１０には市販のコンプレッサーを用いることができる。
【００１５】
第１乾燥部２は、圧縮機１０の排出口１０ａの近傍に配設され、圧縮機１０から送り出される圧縮空気を乾燥させる装置、例えばエアドライヤーである。圧縮空気が第１乾燥部２を流れることによって、圧縮空気中に含まれる水分はある程度除去される。
【００１６】
フィルター部３は、第１乾燥部２で乾燥された圧縮空気に含まれるゴミ、塵、埃等を取り除くための装置、例えばエアフィルターである。圧縮空気中のゴミ等は、このフィルター部３によって除去される。なお、このフィルター部３に代えて、第１乾燥部２と同様の乾燥部を配設してもよい。この場合、圧縮機１０から送り出される圧縮空気の乾燥の度合いを高めることができる。
【００１７】
以上に示す第１乾燥部２及びフィルター部３は、圧縮機１０の近傍に設けられる。なお、第２乾燥部２及びフィルター部３の二つの装置に代えて、第１乾燥部２及びフィルター部３の両機能を有する一の装置を配設してもよい。
【００１８】
圧縮空気送通部４は、第１乾燥部２で乾燥され、その後フィルター部３によってゴミ等が取り除かれた圧縮空気を、噴霧装置６に送通するための中空の管体であり、例えばエアホースである。
【００１９】
第２乾燥部５は、圧縮空気送通部４と後述する噴霧装置６との間に介設され、圧縮空気送通部４を送通されてきた圧縮空気を乾燥させる装置であり、例えばシリカゲル等の乾燥材が内部に充填されたものである。この第２乾燥部５は、圧縮空気送通部４を送通されてきた圧縮空気中に含まれる水分を完全に除去し、確実に乾燥させるためのものである。この第２乾燥部５は取替え可能であり、その詳細構成については図２及び図３を用いて後述する。
【００２０】
なお、第２乾燥部５としてシリカゲルが充填されたものを用いる場合、充填されるシリカゲルには塩化コバルトを塗布することが望ましい。塩化コバルトは、乾燥時には青色、水分を吸収するとピンク色に色が変化する性質を有する。そのため、活線洗浄装置１の使用中には、第２乾燥部５が吸収した圧縮空気中の水分の量に応じて第２乾燥部５の色が変化する。ユーザは活線洗浄装置１の使用中に第２乾燥部５の色の変化を観察することによって、取替えの時期か否かを容易に判断することができる。
【００２１】
噴霧装置６は、操作レバー６１の操作に応じて開閉する開閉弁（図１では不図示）を装置内部に有し、当該開閉弁が開状態である場合に圧縮空気送通部４を送通されてきた圧縮空気は内部流路６２を通って、ノズル７の先端開口端から外部に放出される。すなわち、この噴霧装置６は、ユーザによる操作レバー６１の操作に応じて圧縮空気を外部に放出するか否かを切り替え可能なスプレーガンである。
【００２２】
この噴霧装置６が備える操作レバー６１や開閉弁については既知の技術であるものとして、ここでは説明を省略する。ノズル７は噴霧装置６の内部流路６２等を送通されてきた圧縮空気の流れる方向を定めるために使用されるパイプ状の機械部品である。本実施形態に係るノズル７は、シリコン等の絶縁性を有する材料によって形成される。そのため、ノズル７が洗浄対象の電気設備等に接触した場合であっても、ユーザは感電等を防いで安全に洗浄作業を行うことができる。
【００２３】
この噴霧装置６の本体胴部６３とノズル７との間には、内部流路８１を備えた中空の貯蔵部取付機構８が本体胴部６３及びノズル７に対して回動可能に取り付けられている。この貯蔵部取付機構８は活線洗浄剤貯蔵部９と連結されており、内部流路８１は活線洗浄剤貯蔵部９と連通している。活線洗浄剤貯蔵部９に貯蔵された活線洗浄剤は、圧縮空気によって内部流路８１に吸い上げられる。すなわち、噴霧装置６は一般的な吸上式スプレーガンである。
【００２４】
活線洗浄剤貯蔵部９は、活線洗浄剤が貯蔵される小型のタンクである。活線洗浄剤貯蔵部９に貯蔵される活線洗浄剤は、例えば米国ＮＣＬ（National Chemical Laboratories）社によって製造されているＮＣＬ−７７である。活線洗浄剤の種類は、ＮＣＬ−７７に限定されるものではない。
【００２５】
貯蔵部取付機構８が回動可能であることにより、活線洗浄装置１の使用中において、噴霧装置６が任意の方向を向く場合であっても、活線洗浄剤貯蔵部９は自重により鉛直下方向を向くよう変位する。これにより、ユーザは活線洗浄剤貯蔵部９による重量バランスを意識することなく、安全に洗浄作業を行うことができる。なお、活線洗浄剤貯蔵部９から供給される活線洗浄剤の量をコントロールするためのバルブを、活線洗浄剤貯蔵部９と貯蔵部取付機構８との間に別途設けても良い。
【００２６】
以上に示す構成により、本実施形態に係る活線洗浄装置１によれば、噴霧装置６は、第２乾燥部５によって乾燥された圧縮空気とともに、活線洗浄剤貯蔵部９に貯蔵された活線洗浄剤を吸い上げて外部へ噴霧する。これにより、水分を除去した状態で洗浄対象に活線洗浄剤を噴霧することができる。
【００２７】
特に、本実施形態に係る活線洗浄装置１によれば、第１乾燥部２を圧縮機１０の近傍に設け、第２乾燥部５をユーザが実際に操作する噴霧装置６に取替え可能に設けている。これにより、ユーザは必要に応じて第２乾燥部５を取替えるのみの操作によって、継続して水分を完全に除去することが可能であり、高いユーザ操作性を実現している。
【００２８】
［第２乾燥部］
図２及び図３は、本実施形態に係る第２乾燥部を説明する図である。
【００２９】
図２及び図３に示すように、第２乾燥部５は、シリカゲルが充填された筒体状の本体部５１と、プラグ５２と、ソケット５３とを有する。
【００３０】
本体部５１は、中空円柱状の中心部５１ａと中心部５１ａに比して径が小さい円筒状の端部５１ｂとを有し、両端が開口している。中心部５１ａの内部にはシリカゲルが外部に漏れないように充填され、端部５１ｂの外表面は雄ネジ状に形成されている。両端部５１ｂには、それぞれプラグ５２、ソケット５３が締着される。
【００３１】
プラグ５２は、エアホース４に対する接続部品である。このプラグ５２はエアホース４に取り付けられたソケット４１と連通するよう結合され、圧縮空気送通部４を送通されてきた圧縮空気はプラグ５２とソケット４１との間を通流する。同様に、ソケット５３は、噴霧装置６に対する接続部品である。このソケット５３は噴霧装置６に取り付けられたプラグ６４と連通するよう結合され、第２乾燥部５を通流した圧縮空気はソケット５３とプラグ６４との間を通流する。
【００３２】
ユーザは第２乾燥部５を取替える際、プラグ５２とソケット４１との結合を解除する、及びソケット５３とプラグ６４との結合を解除するという簡易な操作によって、容易に取替えることが可能である。なお、ソケット４１、５３には、それぞれ対応するプラグ５２、６４を抜いたときに圧縮空気の通流を停止させるストップバルブ機構を設けることが好ましい。これにより、第２乾燥部５の取替え時に圧縮空気が外部に漏れてしまうことを防ぐことができる。
【００３３】
なお、第２乾燥部５と圧縮空気送通部４との間、又は、第２乾燥部５と噴霧装置６との間の結合は、プラグ及びソケットによる結合に限定されるものではない。例えば螺合接続してもよい。
【００３４】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【符号の説明】
【００３５】
１  活線洗浄装置
２  第１乾燥部
３  フィルター部
４  圧縮空気送通部
５  第２乾燥部
６  噴霧装置
７  ノズル
８  貯蔵部取付機構
９  活線洗浄剤貯蔵部
１０  圧縮機
【図１】
2015000394.tif 000003
【図２】
2015000394.tif 000004
【図３】
2015000394.tif 000005